(57)【要約】  【課題】適切な耕耘作業ができる農作業機を提供する。  【解決手段】農作業機１は、回転しながら耕耘作業をするロータリ耕耘体５を備える。ロータリ耕耘体５の後方には、前後方向に並んだ複数の突起付砕土ローラ27を有するローラ手段26を配設する。各突起付砕土ローラ27は、左右方向に長手状の回転軸部28と、この回転軸部28の外周側に放射状に設けた複数の突起部29とを有する。  【選択図】図１
2005204581.tif 000002
【特許請求の範囲】
【請求項１】
回転しながら耕耘作業をするロータリ耕耘体と、
このロータリ耕耘体の後方に配設され、前後方向に並んだ複数の突起付砕土ローラを有するローラ手段と
を備えることを特徴とする農作業機。
【請求項２】
各突起付砕土ローラは、左右方向に長手状の回転軸部と、この回転軸部の外周側に放射状に設けられた複数の突起部とを有する
ことを特徴とする請求項１記載の農作業機。
【請求項３】
ローラ手段からの土塊を受け入れこの受け入れた土塊を側方に搬送する横送りコンベヤを備える
ことを特徴とする請求項１または２記載の農作業機。
【請求項４】
ロータリ耕耘体の略全幅にわたった状態で位置し、前記ロータリ耕耘体より深い位置から土を後斜め上方に誘導する土誘導体を備える
ことを特徴とする請求項１ないし３のいずれか一記載の農作業機。
【発明の詳細な説明】
【技術分野】
【０００１】
本発明は、適切な耕耘作業ができる農作業機に関するものである。
【背景技術】
【０００２】
従来、例えばアップカット方向に回転しながら耕耘作業をするロータリ耕耘体と、ロータリ耕耘体の上方部を覆うとともに後端部に均平板を有するカバー体と、ロータリ耕耘体および均平板間に前後方向進退調節自在に配設されたスクリーンとを備えた耕耘砕土機等の農作業機が知られている（例えば、特許文献１参照）。
【特許文献１】実開平１−１６７８０４号公報
【発明の開示】
【発明が解決しようとする課題】
【０００３】
しかしながら、上記従来の農作業機では、例えば圃場の土質等によっては十分な砕土性が得られず、適切な耕耘作業ができないおそれがある。
【０００４】
本発明は、このような点に鑑みなされたもので、適切な耕耘作業ができる農作業機を提供することを目的とする。
【課題を解決するための手段】
【０００５】
請求項１記載の農作業機は、回転しながら耕耘作業をするロータリ耕耘体と、このロータリ耕耘体の後方に配設され、前後方向に並んだ複数の突起付砕土ローラを有するローラ手段とを備えるものである。
【０００６】
そして、前後方向に並んだ複数の突起付砕土ローラを有するローラ手段をロータリ耕耘体の後方に配設したため、砕土性が向上し、適切な耕耘作業が可能となる。
【０００７】
請求項２記載の農作業機は、請求項１記載の農作業機において、各突起付砕土ローラは、左右方向に長手状の回転軸部と、この回転軸部の外周側に放射状に設けられた複数の突起部とを有するものである。
【０００８】
そして、各突起付砕土ローラの突起部にて土塊を適切に砕くことができ、砕土性の向上を図ることが可能となる。
【０００９】
請求項３記載の農作業機は、請求項１または２記載の農作業機において、ローラ手段からの土塊を受け入れこの受け入れた土塊を側方に搬送する横送りコンベヤを備えるものである。
【００１０】
そして、横送りコンベヤにてローラ手段からの土塊を適切に側方に搬送することが可能となる。
【００１１】
請求項４記載の農作業機は、請求項１ないし３のいずれか一記載の農作業機において、ロータリ耕耘体の略全幅にわたった状態で位置し、前記ロータリ耕耘体より深い位置から土を後斜め上方に誘導する土誘導体を備えるものである。
【００１２】
そして、ロータリ耕耘体より深い位置から土を後斜め上方に誘導する土誘導体を備えるため、耕盤ができにくくなる。
【発明の効果】
【００１３】
請求項１記載の農作業機によれば、前後方向に並んだ複数の突起付砕土ローラを有するローラ手段をロータリ耕耘体の後方に配設したため、砕土性が向上し、適切な耕耘作業ができる。
【００１４】
請求項２記載の農作業機によれば、各突起付砕土ローラの突起部にて土塊を適切に砕くことができ、砕土性の向上を図ることができる。
【００１５】
請求項３記載の農作業機によれば、横送りコンベヤにてローラ手段からの土塊を適切に側方に搬送できる。
【００１６】
請求項４記載の農作業機によれば、ロータリ耕耘体より深い位置から土を後斜め上方に誘導する土誘導体を備えるため、耕盤ができにくくなる。
【発明を実施するための最良の形態】
【００１７】
本発明の農作業機の一実施の形態を図面を参照して説明する。
【００１８】
図１および図２において、１は農作業機で、この農作業機１は、例えば走行車であるトラクタ（図示せず）に連結された状態でこのトラクタの走行により前方に移動しながら耕耘作業を行うロータリ耕耘装置（馬鈴薯の床作り用先金付ロータリ等）である。なお、農作業機１による耕耘作業の後、畝立て作業等の後作業が行われる。
【００１９】
そして、この農作業機１はトラクタの３点リンク部に連結された機体２を備え、この機体２には、トラクタのＰＴＯ軸にユニバーサルジョイント等を介して連結された入力軸４側からの動力により所定方向、例えばダウンカット方向に回転しながら耕耘作業をするロータリ耕耘体５が設けられている。
【００２０】
ロータリ耕耘体５は、左右方向に長手状の耕耘軸６を有し、この耕耘軸６には放射状をなす複数の耕耘爪７が軸方向に間隔をおいて並設されている。
【００２１】
また、機体２は、下部に左右方向に長手状の支持フレーム部11を有し、この支持フレーム部11には、ロータリ耕耘体５の後方位置にロータリ耕耘体５の略全幅にわたった状態で位置しこのロータリ耕耘体５より深い位置から圃場の土を後斜め上方に耕耘軸６側に向けて誘導する土誘導体（先金）12が設けられている。すなわち、機体２の左右方向に長手状の円形パイプ状の支持フレーム部11には、前低後高の傾斜状の複数の土誘導板13が互いに等間隔をおいて支持フレーム部11の長手方向に並んで位置するように設けられ、これら複数の土誘導板13は支持フレーム部11の略全長にわたって分散して配設されている。
【００２２】
例えば金属製の各土誘導板13の前端側には略三角形状の先細部14が形成され、各土誘導板13の前端は作業時にはロータリ耕耘体５の下端より下方に位置し、各土誘導板13の後端は作業時には耕耘軸６より下方であってロータリ耕耘体５の下端より上方に位置する。なお、これら複数枚の土誘導板13にて土誘導体12が構成されている。
【００２３】
さらに、機体２には、ロータリ耕耘体５の上方部および側方部を覆う土飛散防止用のカバー体21が設けられている。カバー体21は、互いに離間対向した左右一対の側板部22を有し、これら両側板部22の上端相互および後端相互が連結板部23にて一体に連結されている。
【００２４】
また一方、機体２には、入力軸４側からの動力により左右方向の回転中心軸線を中心として回転する複数（例えば４本）の突起付砕土ローラ27を有する前低後高の傾斜状の砕土用のローラ手段26が設けられている。ローラ手段26はロータリ耕耘体５の後方に配設され、ローラ手段26の前端部およびロータリ耕耘体５間に土誘導体12が配設されている。
【００２５】
そして、複数の突起付砕土ローラ27は、平面視で前後方向に並んで位置し、側面視で外周側一部が重なり合うように互いに近接した状態となっている。また、各突起付砕土ローラ27は、機体２のチェーンケース部2a内のチェーン等とともに回転する左右方向に長手状の回転軸部28を有し、この回転軸部28の外周側には弾性変形可能なゴム製或いは樹脂製の複数の突起部29が放射状に設けられている。複数の突起部29は、わずかな間隙30を介して回転軸部28の軸方向に並んで位置し、その軸方向に隣合う突起部29間の間隙30から土が落下するようになっている。
【００２６】
また、機体２の後端部には、ローラ手段26の後端部からの大きい土塊（突起付砕土ローラ27にて砕土されず間隙30を通過不可能な大きい土塊や石等）を受け入れこの受け入れた土塊を側方、例えば進行方向左側方に搬送する横送りコンベヤ31が設けられている。
【００２７】
横送りコンベヤ31は、例えばチェーン32およびロッド33等からなるロッドコンベヤにて構成されたもので、ローラ手段26の後方に配設されている。また、この横送りコンベヤ31は入力軸４側からの動力を受けて駆動するようになっている。
【００２８】
なお、機体２の前側には、左右一対のゲージ輪35が上下位置調節可能に設けられている。
【００２９】
次に、上記一実施の形態の作用等を説明する。
【００３０】
農作業機１を使用して耕耘作業をする場合、図示しないトラクタの３点リンク部に機体２を連結すること等により、トラクタの３点リンク部に農作業機１を連結装着する。
【００３１】
その後、圃場においてトラクタの３点リンク部を作動させて農作業機１を所望量下降させてから、トラクタの走行により農作業機１を前方に移動させると、圃場の土は、ダウンカット方向に回転中のロータリ耕耘体５にて耕耘砕土されるとともに、土誘導体12にて切削されて後斜め上方に誘導される。
【００３２】
そして、ロータリ耕耘体５および土誘導体12からローラ手段26の前端部に供給された土塊は、ローラ手段26の突起付砕土ローラ27にて搬送されつつ砕かれて小さくなり、間隙30を通過して落下する。なお、ローラ手段26の間隙30を通過不可能な大きい土塊や石等は、横送りコンベヤ31のロッド33上に乗り移り、側方に搬送される。
【００３３】
このように農作業機１を使用して耕耘作業をした場合には、従来の農作業機に比べて砕土性が向上するとともに耕盤ができにくく、適切な耕耘作業ができ、よって農作物にとって最適な床を容易に作ることができ、また牽引抵抗の減少により作業性の向上を図ることもできる。
【００３４】
なお、農作業機１は、ダウンカット方向に回転しながら耕耘作業をするロータリ耕耘体５を備えるものには限定されず、例えば図３に示すように、アップカット方向に回転しながら耕耘作業をするロータリ耕耘体５を備えるものでも同様の作用効果を奏し得る。この図３に示すアップカット式の農作業機１では、図１に示すダウンカット式の農作業機１とは異なり、複数の土誘導板13からなる土誘導体12はロータリ耕耘体５の前方位置に位置し、側面視でゲージ輪35およびロータリ耕耘体５間に配設されている。
【００３５】
また、土誘導体12は、傾斜状に位置する複数の分割板である土誘導板13にて構成されたものには限定されず、例えば左右方向に長手状の１枚の板部材にて構成されたもの等でもよい。
【００３６】
さらに、土誘導体12は、機体２の支持フレーム部11に固設されたものでもよく、支持フレーム部11に着脱可能に取り付けられたもの等でもよい。
【００３７】
また、横送りコンベヤ31は、土塊の搬送方向を進行方向右側方および進行方向左側方に選択的に切換えできるようにしてもよい。
【図面の簡単な説明】
【００３８】
【図１】本発明の農作業機の一実施の形態を示す側面図である。
【図２】同上農作業機の部分平面図である。
【図３】本発明の農作業機の他の実施の形態を示す側面図である。
【符号の説明】
【００３９】
１    農作業機
５    ロータリ耕耘体
12    土誘導体
26    ローラ手段
27    突起付砕土ローラ
28    回転軸部
29    突起部
31    横送りコンベヤ
【図１】
2005204581.tif 000003
【図２】
2005204581.tif 000004
【図３】
2005204581.tif 000005